【手続補正書】
【提出日】平成26年4月3日(2014.4.3)
【手続補正１】
【補正対象書類名】特許請求の範囲
【補正対象項目名】全文
【補正方法】変更
【補正の内容】
【特許請求の範囲】
【請求項１】
複数のノードが各々固有の間隔で周期的な待ち受けを行うノード間のデータ送受信方法であって、
一のノードが、通信可能な他のノードを検出する検出工程と、
前記一のノードが、データ送信タイミングを示す予告情報を所定の間隔を置いて複数回連続して前記他のノードに送信する連続送信工程と、
前記周期的な待ち受け中に前記予告情報を受信した前記他のノードが、前記予告情報に示されている前記データ送信タイミングに従いデータを待ち受ける予告待受工程と、
前記一のノードが、前記他のノードに、前記予告情報の前記データ送信タイミングに従いデータ送信を行う予告送信工程と、
前記他のノードが、前記予告データ送信タイミングに従い前記一のノードから送信されたデータを受信する予告受信工程と、
を備え、
前記周期的な待ち受け中にデータの受信が終了しない場合、前記周期的な待ち受けの終了後も前記データの受信を延長して行う
ことを特徴とするデータ送受信方法。
【請求項２】
複数のノードが各々固有の間隔で周期的な待ち受けを行うノード間のデータ送受信方法であって、
一のノードが、通信可能な他のノードを検出する検出工程と、
前記他のノードが、前記周期的な待ち受けの前に前記周期的な待ち受けに連続して、前記周期的な待ち受けを行うタイミングを示す待受情報を前記一のノードに送信する待受情報送信工程と、
前記一のノードが、前記他のノードに送信するデータの生成と同時に待ち受けを行う待受工程と、
前記一のノードが、前記他のノードから送信される前記待受情報を受信する待受情報受信工程と、
前記一のノードが、受信した前記待受情報に示されている前記タイミングに従い前記データを送信するデータ送信工程と、
前記他のノードが、前記周期的な待ち受け中に前記一のノードから送信された前記データを受信するデータ受信工程と、
を備え、
前記周期的な待ち受け中にデータの受信が終了しない場合、前記周期的な待ち受けの終了後も前記データの受信を延長して行う
ことを特徴とするデータ送受信方法。
【請求項３】
複数のノードが各々固有の間隔で周期的な待ち受けを行うノード間のデータ送受信方法であって、
一のノードが、通信可能な他のノードを検出する検出工程と、
前記一のノードが、前記他のノードが前記周期的な待ち受けを行うタイミングを示す待受情報を要求する待受情報要求を、所定の間隔を置いて複数回連続して前記他のノードに送信する連続送信工程と、
前記一のノードが、複数回の前記待受情報要求の送信にそれぞれ連続して、前記他のノードからの待受情報の待ち受けを行う受信待受工程と、
前記一のノードからの前記待受情報要求を受信した前記他のノードが、前記待受情報を前記一のノードに送信する待受情報送信工程と、
前記一のノードが、前記他のノードから送信された前記待受情報を受信する待受情報受信工程と、
前記一のノードが、受信した前記待受情報に示されている前記タイミングに従い前記他のノードにデータの送信を行うデータ送信工程と、
前記他のノードが、前記周期的な待ち受け中に前記一のノードから送信された前記データを受信するデータ受信工程と、
を備え、
前記周期的な待ち受け中にデータの受信が終了しない場合、前記周期的な待ち受けの終了後も前記データの受信を延長して行う
ことを特徴とするデータ送受信方法。
【請求項４】
前記検出工程は、
前記一のノードが、前記一のノードの固有の情報であるノード情報の送信と、データの受信待ち受けと、を含むディスカバリー動作を、所定の間隔で繰り返すディスカバリー工程と、
前記周期的な待ち受け中に前記ノード情報を受信した前記他のノードが、前記他のノードの固有の情報である第２ノード情報を、前記一のノードの前記受信待ち受け中に前記一のノードに送信する応答工程と、
を有することを特徴とする請求項１乃至３の何れか１項記載のデータ送受信方法。
【手続補正２】
【補正対象書類名】明細書
【補正対象項目名】００１６
【補正方法】変更
【補正の内容】
【００１６】
本願請求項１に係るデータ送受信方法は、複数のノードが各々固有の間隔で周期的な待ち受けを行うノード間のデータ送受信方法であって、一のノードが、通信可能な他のノードを検出する検出工程と、前記一のノードが、データ送信タイミングを示す予告情報を所定の間隔を置いて複数回連続して前記他のノードに送信する連続送信工程と、前記周期的な待ち受け中に前記予告情報を受信した前記他のノードが、前記予告情報に示されている前記データ送信タイミングに従いデータを待ち受ける予告待受工程と、前記一のノードが、前記他のノードに、前記予告情報の前記データ送信タイミングに従いデータ送信を行う予告送信工程と、前記他のノードが、前記予告データ送信タイミングに従い前記一のノードから送信されたデータを受信する予告受信工程と、を備え、前記周期的な待ち受け中にデータの受信が終了しない場合、前記周期的な待ち受けの終了後も前記データの受信を延長して行うことを特徴とする。
【手続補正３】
【補正対象書類名】明細書
【補正対象項目名】００１７
【補正方法】変更
【補正の内容】
【００１７】
また、本願請求項２に係るデータ送受信方法は、複数のノードが各々固有の間隔で周期的な待ち受けを行うノード間のデータ送受信方法であって、一のノードが、通信可能な他のノードを検出する検出工程と、前記他のノードが、前記周期的な待ち受けの前に前記周期的な待ち受けに連続して、前記周期的な待ち受けを行うタイミングを示す待受情報を前記一のノードに送信する待受情報送信工程と、前記一のノードが、前記他のノードに送信するデータの生成と同時に待ち受けを行う待受工程と、前記一のノードが、前記他のノードから送信される前記待受情報を受信する待受情報受信工程と、前記一のノードが、受信した前記待受情報に示されている前記タイミングに従い前記データを送信するデータ送信工程と、前記他のノードが、前記周期的な待ち受け中に前記一のノードから送信された前記データを受信するデータ受信工程と、を備え、前記周期的な待ち受け中にデータの受信が終了しない場合、前記周期的な待ち受けの終了後も前記データの受信を延長して行う
ことを特徴とする。
【手続補正４】
【補正対象書類名】明細書
【補正対象項目名】００１８
【補正方法】変更
【補正の内容】
【００１８】
また、本願請求項３に係るデータ送受信方法は、複数のノードが各々固有の間隔で周期的な待ち受けを行うノード間のデータ送受信方法であって、一のノードが、通信可能な他のノードを検出する検出工程と、前記一のノードが、前記他のノードが前記周期的な待ち受けを行うタイミングを示す待受情報を要求する待受情報要求を、所定の間隔を置いて複数回連続して前記他のノードに送信する連続送信工程と、前記一のノードが、複数回の前記待受情報要求の送信にそれぞれ連続して、前記他のノードからの待受情報の待ち受けを行う受信待受工程と、前記一のノードからの前記待受情報要求を受信した前記他のノードが、前記待受情報を前記一のノードに送信する待受情報送信工程と、前記一のノードが、前記他のノードから送信された前記待受情報を受信する待受情報受信工程と、前記一のノードが、受信した前記待受情報に示されている前記タイミングに従い前記他のノードにデータの送信を行うデータ送信工程と、前記他のノードが、前記周期的な待ち受け中に前記一のノードから送信された前記データを受信するデータ受信工程と、を備え、前記周期的な待ち受け中にデータの受信が終了しない場合、前記周期的な待ち受けの終了後も前記データの受信を延長して行うことを特徴とする。
【手続補正５】
【補正対象書類名】明細書
【補正対象項目名】００２０
【補正方法】削除
【補正の内容】
【手続補正６】
【補正対象書類名】明細書
【補正対象項目名】００２１
【補正方法】変更
【補正の内容】
【００２１】
本願請求項１に係る発明によれば、ＦＦＤが存在せず、各ノード間で同期が確立されていない状況下においても、情報の送受信を行うことができる。また、各ノードは常時待ち受けを行わず、間欠的に待ち受けを行うとともに、データの送受信時にもデータ送信タイミングに示した時間帯においてのみ起動し、データの待ち受け、送信及び受信を行えばよいため、電力の浪費を効果的に抑制することができる。また、待ち受け時間終了後でも、データの送受信をその完了まで継続して行うことができる。これにより、待ち受け時間を短くすることができるため、各ノードがスリープモードでいられる時間を長くすることができ、各ノードの電力消費を効果的に抑制することができる。
【手続補正７】
【補正対象書類名】明細書
【補正対象項目名】００２２
【補正方法】変更
【補正の内容】
【００２２】
本願請求項２に係る発明によっても、ＦＦＤが存在せず、各ノード間で同期が確立されていない状況下においても、情報の送受信を行うことができる。また、各ノードは常時待ち受けを行わず、間欠的に待ち受けを行うとともに、データの送受信時にもデータ受信タイミングに示した時間帯においてのみ起動し、データの待ち受け、送信及び受信を行う。そのため、電力の浪費を効果的に抑制することができる。また、待ち受け時間終了後でも、データの送受信をその完了まで継続して行うことができる。これにより、待ち受け時間を短くすることができるため、各ノードがスリープモードでいられる時間を長くすることができ、各ノードの電力消費を効果的に抑制することができる。
【手続補正８】
【補正対象書類名】明細書
【補正対象項目名】００２３
【補正方法】変更
【補正の内容】
【００２３】
本願請求項３に係る発明によっても、ＦＦＤが存在せず、各ノード間で同期が確立されていない状況下においても、情報の送受信を行うことができる。また、各ノードは常時待ち受けを行わず、間欠的に待ち受けを行うとともに、データの送受信時にもデータ受信タイミングに示した時間帯においてのみ起動し、データの待ち受け、送信及び受信を行う。そのため、電力の浪費を効果的に抑制することができる。また、待ち受け時間終了後でも、データの送受信をその完了まで継続して行うことができる。これにより、待ち受け時間を短くすることができるため、各ノードがスリープモードでいられる時間を長くすることができ、各ノードの電力消費を効果的に抑制することができる。
【手続補正９】
【補正対象書類名】明細書
【補正対象項目名】００２５
【補正方法】削除
【補正の内容】